【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
１つ以上のチャネル推定方式を用いて受信された信号からチャネルを推定することと、
前記受信された信号から前記推定されたチャネルを用いる成分信号を除去して処理された信号を生成することと、
前記処理された信号内の残留信号を検出することと、を備え、前記検出することは、１つ以上の誤アラーム低減方式を適用することを含み、前記１つ以上の誤アラーム低減方式のうちの１つは、
基準信号受信電力が前記残留信号におけるスレショルドよりも高いことを決定することと、
前記基準信号受信電力が前記残留信号における前記スレショルドよりも高いことを決定することに応じて、前記残留信号から物理ブロードキャストチャネルを復号することと、を備える、無線通信方法。
【請求項２】
前記受信された信号は、複数のセルからの成分を備える請求項１に記載の方法。
【請求項３】
前記推定することは、
前記受信された信号においてプライマリ同期信号を検出することと、
前記プライマリ同期信号を用いてチャネル推定値を生成することと、をさらに備える請求項１に記載の方法。
【請求項４】
前記推定することは、
基準信号を入手することと、
前記基準信号を用いてチャネル推定値を生成することと、をさらに備える請求項１に記載の方法。
【請求項５】
前記入手することは、
第１のセルからの信号を検出することであって、前記第１のセルからの前記信号は、基準信号シンボルを有する前記基準信号を含むことと、
前記基準信号シンボルを用いて前記推定されたチャネルを入手することと、をさらに備える請求項４に記載の方法。
【請求項６】
前記基準信号シンボルは、複数のサブフレームにわたって前記基準信号内に含められる請求項５に記載の方法。
【請求項７】
前記基準信号シンボルは、マルチメディアブロードキャスト単一周波数ネットワーク（ＭＢＳＦＮ）サブフレーム又は空白のサブフレームのいずれかにおいて前記基準信号内に含められる請求項５に記載の方法。
【請求項８】
前記基準信号シンボルを用いて前記推定されたチャネルを前記入手することは、単一アンテナシステムにおいて前記基準シンボルから前記チャネルを推定することと、プライマリ又はセカンダリ同期信号からのチャネル推定値のうちの少なくとも１つと結合することと、をさらに備える請求項５に記載の方法。
【請求項９】
前記基準信号シンボルを用いて前記推定されたチャネルを前記入手することは、多アンテナシステムにおいて前記基準シンボルから前記チャネルを推定することと、プリコーディングベクトルステアリングを用いてプライマリ又はセカンダリ信号からのチャネル推定値のうちの少なくとも１つと結合することと、をさらに備える請求項５に記載の方法。
【請求項１０】
前記プライマリ及びセカンダリ同期信号において用いられるプリコーディングベクトルをセルＩＤ及びシステムフレーム番号とリンクさせることをさらに備える請求項９に記載の方法。
【請求項１１】
前記１つ以上のチャネル推定方式のうちの１つは、
第１のセル物理ブロードキャストチャネルを復号することと、
前記受信された信号と関連付けられたプライマリ同期信号及びセカンダリ同期信号に前記復号された第１のセル物理ブロードキャストチャネルを適用することと、を備える請求項１に記載の方法。
【請求項１２】
前記適用することは、前記物理ブロードキャストチャネルにプリコーディングベクトルを乗じて前記プライマリ同期信号及び前記セカンダリ同期信号に適用するチャネルを入手することをさらに備える請求項１１に記載の方法。
【請求項１３】
前記プライマリ及びセカンダリ同期信号において用いられるプリコーディングベクトルをセルＩＤ及びシステムフレーム番号とリンクさせることをさらに備える請求項１１に記載の方法。
【請求項１４】
前記１つ以上の誤アラーム低減方式のうちの１つは、前記残留信号の受信された電力をスレショルド値と比較することを備える請求項１に記載の方法。
【請求項１５】
前記スレショルド値は、
定義されたスレショルド値、
検出された最も強力なセルから生成されたスレショルド、又は
複数の検出されたセルの平均から生成されたスレショルド、のうちの少なくとも１つを備える請求項１４に記載の方法。
【請求項１６】
前記１つ以上の誤アラーム低減方式のうちの１つは、前記検出された信号に対する巡回冗長検査を行うことを備える請求項１に記載の方法。
【請求項１７】
前記残留信号に対する自動利得制御を行うための手段をさらに備え、
前記自動利得制御は、
前記推定されたチャネル、又は
前記受信された信号と前記残留信号との間のエネルギー差、のうちの少なくとも１つに基づいて前記残留信号にスケーリングファクタを適用することをさらに備える請求項１に記載の方法。
【請求項１８】
前記残留信号及び前記推定されたチャネルと関連付けられた信号が類似の送信されたプライマリ同期信号を有することを決定することと、
前記推定されたチャネル及び検出されたタイミングと関連付けられた情報を格納することと、をさらに備え、前記格納された情報は、検出されたプライマリ同期信号をさらに備える請求項１に記載の方法。
【請求項１９】
１つ以上のチャネル推定方式を用いて受信された信号からチャネルを推定するための手段と、
前記受信された信号から前記推定されたチャネルを用いる成分信号を除去して処理された信号を生成するための手段と、
前記処理された信号内の残留信号を検出するための手段と、を備え、
検出するための前記手段は、１つ以上の誤アラーム低減方式を適用するための手段を備え、
前記１つ以上の誤アラーム低減方式のうちの１つは、
基準信号受信電力が前記残留信号におけるスレショルドよりも高いことを決定することと、
前記基準信号受信電力が前記残留信号における前記スレショルドよりも高いことを決定することに応じて、前記残留信号から物理ブロードキャストチャネルを復号することと、
を備える、無線通信のための装置。
【請求項２０】
前記受信された信号は、複数のセルからの成分を備える請求項１９に記載の装置。
【請求項２１】
推定するための前記手段は、
前記受信された信号においてプライマリ同期信号を検出するための手段と、
前記プライマリ同期信号を用いてチャネル推定値を生成するための手段と、をさらに備える請求項１９に記載の装置。
【請求項２２】
推定するための前記手段は、
基準信号を入手するための手段と、
前記基準信号を用いてチャネル推定値を生成するための手段と、をさらに備える請求項１９に記載の装置。
【請求項２３】
入手するための前記手段は、
第１のセルからの信号を検出するための手段であって、前記第１のセルからの前記信号は、基準信号シンボルを有する前記基準信号を含む手段と、
前記基準信号シンボルを用いて前記推定されたチャネルを入手するための手段と、をさらに備える請求項２２に記載の装置。
【請求項２４】
前記基準信号シンボルは、複数のサブフレームにわたって前記基準信号内に含められる請求項２３に記載の装置。
【請求項２５】
前記基準信号シンボルは、マルチメディアブロードキャスト単一周波数ネットワーク（ＭＢＳＦＮ）サブフレーム又は空白のサブフレームのいずれかにおいて前記基準信号内に含められる請求項２３に記載の装置。
【請求項２６】
前記基準信号シンボルを用いて前記推定されたチャネルを入手するための前記手段は、単一アンテナシステムにおいて前記基準シンボルから前記チャネルを推定するための手段と、プライマリ又はセカンダリ同期信号からのチャネル推定値のうちの少なくとも１つと結合するための手段と、をさらに備える請求項２３に記載の装置。
【請求項２７】
前記基準信号シンボルを用いて前記推定されたチャネルを入手するための前記手段は、多アンテナシステムにおいて前記基準シンボルから前記チャネルを推定するための手段と、プリコーディングベクトルステアリングを用いてプライマリ又はセカンダリ信号からのチャネル推定値のうちの少なくとも１つと結合するための手段と、をさらに備える請求項２３に記載の装置。
【請求項２８】
前記プライマリ及びセカンダリ同期信号において用いられるプリコーディングベクトルをセルＩＤ及びシステムフレーム番号とリンクさせるための手段をさらに備える請求項２７に記載の装置。
【請求項２９】
１つ以上のチャネル推定方式を用いて前記受信された信号からチャネルを推定するための前記手段は、
第１のセル物理ブロードキャストチャネルを復号するための手段と、
前記受信された信号と関連付けられたプライマリ同期信号及びセカンダリ同期信号に前記復号された第１のセル物理ブロードキャストチャネルを適用するための手段と、を備える請求項１９に記載の装置。
【請求項３０】
適用するための前記手段は、前記物理ブロードキャストチャネルにプリコーディングベクトルを乗じて前記プライマリ同期信号及び前記セカンダリ同期信号に適用するチャネルを入手するための手段をさらに備える請求項２９に記載の装置。
【請求項３１】
前記プライマリ及びセカンダリ同期信号において用いられるプリコーディングベクトルをセルＩＤ及びシステムフレーム番号とリンクさせるための手段をさらに備える請求項２９に記載の装置。
【請求項３２】
前記１つ以上の誤アラーム低減方式のうちの１つを適用するための前記手段は、前記残留信号の受信された電力をスレショルド値と比較するための手段をさらに備える請求項１９に記載の装置。
【請求項３３】
前記スレショルド値は、
定義されたスレショルド値、
検出された最も強力なセルから生成されたスレショルド、又は
複数の検出されたセルの平均から生成されたスレショルド、のうちの少なくとも１つを備える請求項３２に記載の装置。
【請求項３４】
前記１つ以上の誤アラーム低減方式のうちの１つを適用するための前記手段は、前記検出された信号に対する巡回冗長検査を行うための手段をさらに備える請求項１９に記載の装置。
【請求項３５】
前記残留信号に対する自動利得制御を行うための手段をさらに備え、
自動利得制御を行うための前記手段は、
前記推定されたチャネル、又は
前記受信された信号と前記残留信号との間のエネルギー差、のうちの少なくとも１つに基づいて前記残留信号にスケーリングファクタを適用するための手段をさらに備える請求項１９に記載の装置。
【請求項３６】
前記残留信号及び前記推定されたチャネルと関連付けられた信号が類似の送信されたプライマリ同期信号を有することを決定するための手段と、
前記推定されたチャネル及び検出されたタイミングと関連付けられた情報を格納するための手段と、をさらに備え、前記格納された情報は、検出されたプライマリ同期信号をさらに備える請求項１９に記載の装置。
【請求項３７】
１つ以上のチャネル推定方式を用いて受信された信号からチャネルを推定し、
前記受信された信号から前記推定されたチャネルを用いる成分信号を除去して処理された信号を生成し、
前記処理された信号内の残留信号を検出するための符号を備え、前記検出することは、１つ以上の誤アラーム低減方式を適用することを含み、前記１つ以上の誤アラーム低減方式のうちの１つは、
基準信号受信電力が前記残留信号におけるスレショルドよりも高いことを決定することと、
前記基準信号受信電力が前記残留信号における前記スレショルドよりも高いことを決定することに応じて、前記残留信号から物理ブロードキャストチャネルを復号することと、を備える、
コンピュータによって読み取り可能なコンピュータプログラム。
【請求項３８】
前記受信された信号は、複数のセルからの成分を備える請求項３７に記載のコンピュータプログラム。
【請求項３９】
推定するための前記符号は、
前記受信された信号においてプライマリ同期信号を検出し、及び
前記プライマリ同期信号を用いてチャネル推定値を生成するための符号をさらに備える請求項３７に記載のコンピュータプログラム。
【請求項４０】
前記１つ以上のチャネル推定方式のうちの１つは、
第１のセル物理ブロードキャストチャネルを復号し、及び
前記受信された信号と関連付けられたプライマリ同期信号及びセカンダリ同期信号に前記復号された第１のセル物理ブロードキャストチャネルを適用するための符号を備える請求項３７に記載のコンピュータプログラム。
【請求項４１】
前記１つ以上の誤アラーム低減方式のうちの１つは、前記残留信号の受信された電力をスレショルド値と比較するための符号を備える請求項３７に記載のコンピュータプログラム。
【請求項４２】
前記コンピュータによって読み取り可能なコンピュータプログラムは、
前記残留信号及び前記推定されたチャネルと関連付けられた信号が類似の送信されたプライマリ同期信号を有することを決定し、及び
前記推定されたチャネル及び検出されたタイミングと関連付けられた情報を格納するための符号をさらに備え、前記格納された情報は、検出されたプライマリ同期信号をさらに備える請求項３７に記載のコンピュータプログラム。
【請求項４３】
少なくとも１つのプロセッサと、
前記少なくとも１つのプロセッサに結合されたメモリと、を備え、前記少なくとも１つのプロセッサは、
１つ以上のチャネル推定方式を用いて受信された信号からチャネルを推定し、
前記受信された信号から前記推定されたチャネルを用いる成分信号を除去して処理された信号を生成し、
前記処理された信号内の残留信号を検出し、及び
１つ以上の誤アラーム低減方式を適用するように構成され、
前記１つ以上の誤アラーム低減方式のうちの１つを適用するために、前記少なくとも１つのプロセッサは、
基準信号受信電力が前記残留信号におけるスレショルドよりも高いことを決定し、
前記基準信号受信電力が前記残留信号における前記スレショルドよりも高いことを決定することに応じて、前記残留信号から物理ブロードキャストチャネルを復号するようにさらに構成される、
無線通信のための装置。
【請求項４４】
前記受信された信号は、複数のセルからの成分を備える請求項４３に記載の装置。
【請求項４５】
前記１つ以上のチャネル推定方式を用いて前記受信された信号から前記チャネルを推定するために、前記少なくとも１つのプロセッサは、
前記受信された信号においてプライマリ同期信号を検出し、及び
前記プライマリ同期信号を用いてチャネル推定値を生成するようにさらに構成される請求項４３に記載の装置。
【請求項４６】
前記１つ以上のチャネル推定方式を用いて前記受信された信号から前記チャネルを推定するために、前記少なくとも１つのプロセッサは、
第１のセル物理ブロードキャストチャネルを復号し、及び
前記受信された信号と関連付けられたプライマリ同期信号及びセカンダリ同期信号に前記復号された第１のセル物理ブロードキャストチャネルを適用するようにさらに構成される請求項４３に記載の装置。
【請求項４７】
１つ以上の誤アラーム低減方式を適用するために、前記少なくとも１つのプロセッサは、前記残留信号の受信された電力をスレショルド値と比較するようにさらに構成される請求項４３に記載の装置。
【請求項４８】
前記少なくとも１つのプロセッサは、
前記残留信号及び前記推定されたチャネルと関連付けられた信号が類似の送信されたプライマリ同期信号を有することを決定し、及び、
前記推定されたチャネル及び検出されたタイミングと関連付けられた情報を格納するようにさらに構成され、前記格納された情報は、検出されたプライマリ同期信号をさらに備える請求項４３に記載の装置。
【手続補正２】
【補正対象書類名】明細書
【補正対象項目名】０１２９
【補正方法】変更
【補正の内容】
【０１２９】
上記の説明は、当業者がここにおいて説明される様々な態様を実践するのを可能にするために提供される。これらの態様に対する様々な修正は、当業者にとって容易に明確になるであろう、及びここにおいて定められる一般原理は、その他の態様に対しても適用することができる。以上のように、請求項は、ここにおいて示される態様に限定されることは意図されず、請求項の文言に一致する完全な適用範囲が認められるべきであり、単数形の要素への言及は、その旨が特記されない限り“１つ及び１つのみ”を意味することは意図されず、むしろ“１つ以上”であることを意味することが意図される。別段特記されない限り、語句“幾つか”は、１つ以上を意味する。当業者に知られている又は今後に知られることになるこの開示全体を通じて説明される様々な態様の要素のすべての構造上及び機能上の同等物は、引用によってここに明示で組み入れられ、請求項によって包含されることが意図される。さらに、ここにおいて開示されるいずれも、該開示が請求項において明示で記載されているかどうかにかかわらず、公衆に提供されたものではないことが意図される。いずれの請求項要素も、その要素が句“ための手段”を用いて明示で記述されていない限り、又は、方法請求項の場合は、その要素が句“ためのステップ”を用いて記述されていない限り、３５Ｕ．Ｓ．Ｃ．§１１２の第6段落の規定に基づいて解釈されるべきではない。
以下に、本願出願の当初の特許請求の範囲に記載された発明を付記する。
［Ｃ１］
１つ以上のチャネル推定方式を用いて受信された信号からチャネルを推定することと、
前記受信された信号から前記推定されたチャネルを用いる成分信号を除去して処理された信号を生成することと、
前記処理された信号内の残留信号を検出することと、を備える、無線通信方法。
［Ｃ２］
前記受信された信号は、複数のセルからの成分を備えるＣ１に記載の方法。
［Ｃ３］
前記推定することは、
前記受信された信号においてプライマリ同期信号を検出することと、
前記プライマリ同期信号を用いてチャネル推定値を生成することと、をさらに備えるＣ１に記載の方法。
［Ｃ４］
前記推定することは、
前記受信された信号においてセカンダリ同期信号を検出することと、
前記セカンダリ同期信号を用いてチャネル推定値を生成することと、をさらに備えるＣ１に記載の方法。
［Ｃ５］
前記推定することは、
基準信号を入手することと、
前記基準信号を用いてチャネル推定値を生成することと、をさらに備えるＣ１に記載の方法。
［Ｃ６］
前記入手することは、
第１のセルからの信号を検出することであって、前記第１のセルからの前記信号は、前記基準信号シンボルを有する前記基準信号を含むことと、
前記基準信号シンボルを用いて前記推定されたチャネルを入手することと、をさらに備えるＣ５に記載の方法。
［Ｃ７］
前記基準信号シンボルは、複数のサブフレームにわたって前記基準信号内に含められるＣ６に記載の方法。
［Ｃ８］
前記基準信号シンボルは、マルチメディアブロードキャスト単一周波数ネットワーク（ＭＢＳＦＮ）サブフレーム又は空白のサブフレームのいずれかにおいて前記基準信号内に含められるＣ６に記載の方法。
［Ｃ９］
前記基準信号シンボルを用いて前記推定されたチャネルを前記入手することは、単一アンテナシステムにおいて前記基準シンボルから前記チャネルを推定することと、プライマリ又はセカンダリ同期信号からのチャネル推定値のうちの少なくとも１つと結合することと、をさらに備えるＣ６に記載の方法。
［Ｃ１０］
前記基準信号シンボルを用いて前記推定されたチャネルを前記入手することは、多アンテナシステムにおいて前記基準シンボルから前記チャネルを推定することと、プリコーディングベクトルステアリングを用いてプライマリ又はセカンダリ信号からのチャネル推定値のうちの少なくとも１つと結合することと、をさらに備えるＣ６に記載の方法。
［Ｃ１１］
前記プライマリ及びセカンダリ同期信号において用いられるプリコーディングベクトルをセルＩＤ及びシステムフレーム番号とリンクさせることをさらに備えるＣ１０に記載の方法。
［Ｃ１２］
前記１つ以上のチャネル推定方式のうちの１つは、
第１のセル物理ブロードキャストチャネルを復号することと、
前記受信された信号と関連付けられたプライマリ同期信号及びセカンダリ同期信号に前記復号された第１のセル物理ブロードキャストチャネルを適用することと、を備えるＣ１に記載の方法。
［Ｃ１３］
前記適用することは、前記物理ブロードキャストチャネルにプリコーディングベクトルを乗じて前記プライマリ同期信号及び前記セカンダリ同期信号に適用するチャネルを入手することをさらに備えるＣ１２に記載の方法。
［Ｃ１４］
前記プライマリ及びセカンダリ同期信号において用いられるプリコーディングベクトルをセルＩＤ及びシステムフレーム番号とリンクさせることをさらに備えるＣ１２に記載の方法。
［Ｃ１５］
前記検出することは、１つ以上の誤アラーム低減方式を適用することをさらに備えるＣ１に記載の方法。
［Ｃ１６］
前記１つ以上の誤アラーム低減方式のうちの１つは、前記残留信号の受信された電力をスレショルド値と比較することを備えるＣ１５に記載の方法。
［Ｃ１７］
前記スレショルド値は、
定義されたスレショルド値、
検出された最も強力なセルから生成されたスレショルド、又は
複数の検出されたセルの平均から生成されたスレショルド、のうちの少なくとも１つを備えるＣ１６に記載の方法。
［Ｃ１８］
前記１つ以上の誤アラーム低減方式のうちの１つは、前記検出された信号に対する巡回冗長検査を行うことを備えるＣ１５に記載の方法。
［Ｃ１９］
前記１つ以上の誤アラーム低減方式のうちの１つは、
基準信号受信電力が前記残留信号におけるスレショルドよりも高いことを決定することと、
前記残留信号から物理ブロードキャストチャネルを復号することと、を備えるＣ１５に記載の方法。
［Ｃ２０］
前記残留信号に対する自動利得制御を行うことをさらに備えるＣ１に記載の方法。
［Ｃ２１］
前記自動利得制御は、
前記推定されたチャネル、又は
前記受信された信号と前記残留信号との間のエネルギー差、のうちの少なくとも１つに基づいて前記残留信号にスケーリングファクタを適用することをさらに備えるＣ２０に記載の方法。
［Ｃ２２］
前記残留信号及び前記推定されたチャネルと関連付けられた信号が類似の送信されたプライマリ同期信号を有することを決定することと、
前記推定されたチャネル及び検出されたタイミングと関連付けられた情報を格納することと、をさらに備え、前記格納された情報は、検出されたプライマリ同期信号をさらに備えるＣ１に記載の方法。
［Ｃ２３］
１つ以上のチャネル推定方式を用いて受信された信号からチャネルを推定するための手段と、
前記受信された信号から前記推定されたチャネルを用いる成分信号を除去して処理された信号を生成するための手段と、
前記処理された信号内の残留信号を検出するための手段と、を備える、無線通信のための装置。
［Ｃ２４］
前記受信された信号は、複数のセルからの成分を備えるＣ２３に記載の装置。
［Ｃ２５］
推定するための前記手段は、
前記受信された信号においてプライマリ同期信号を検出するための手段と、
前記プライマリ同期信号を用いてチャネル推定値を生成するための手段と、をさらに備えるＣ２３に記載の装置。
［Ｃ２６］
推定するための前記手段は、
前記受信された信号においてセカンダリ同期信号を検出するための手段と、
前記セカンダリ同期信号を用いてチャネル推定値を生成するための手段と、をさらに備えるＣ２３に記載の装置。
［Ｃ２７］
推定するための前記手段は、
基準信号を入手するための手段と、
前記基準信号を用いてチャネル推定値を生成するための手段と、をさらに備えるＣ２３に記載の装置。
［Ｃ２８］
入手するための前記手段は、
第１のセルからの信号を検出するための手段であって、前記第１のセルからの前記信号は、前記基準信号シンボルを有する前記基準信号を含む手段と、
前記基準信号シンボルを用いて前記推定されたチャネルを入手するための手段と、をさらに備えるＣ２７に記載の装置。
［Ｃ２９］
前記基準信号シンボルは、複数のサブフレームにわたって前記基準信号内に含められるＣ２８に記載の装置。
［Ｃ３０］
前記基準信号シンボルは、マルチメディアブロードキャスト単一周波数ネットワーク（ＭＢＳＦＮ）サブフレーム又は空白のサブフレームのいずれかにおいて前記基準信号内に含められるＣ２８に記載の装置。
［Ｃ３１］
前記基準信号シンボルを用いて前記推定されたチャネルを入手するための前記手段は、単一アンテナシステムにおいて前記基準シンボルから前記チャネルを推定するための手段と、プライマリ又はセカンダリ同期信号からのチャネル推定値のうちの少なくとも１つと結合するための手段と、をさらに備えるＣ２８に記載の装置。
［Ｃ３２］
前記基準信号シンボルを用いて前記推定されたチャネルを入手するための前記手段は、多アンテナシステムにおいて前記基準シンボルから前記チャネルを推定するための手段と、プリコーディングベクトルステアリングを用いてプライマリ又はセカンダリ信号からのチャネル推定値のうちの少なくとも１つと結合するための手段と、をさらに備えるＣ２８に記載の装置。
［Ｃ３３］
前記プライマリ及びセカンダリ同期信号において用いられるプリコーディングベクトルをセルＩＤ及びシステムフレーム番号とリンクさせるための手段をさらに備えるＣ３２に記載の装置。
［Ｃ３４］
１つ以上のチャネル推定方式を用いて前記受信された信号からチャネルを推定するための前記手段は、
第１のセル物理ブロードキャストチャネルを復号するための手段と、
前記受信された信号と関連付けられたプライマリ同期信号及びセカンダリ同期信号に前記復号された第１のセル物理ブロードキャストチャネルを適用するための手段と、を備えるＣ２３に記載の装置。
［Ｃ３５］
適用するための前記手段は、前記物理ブロードキャストチャネルにプリコーディングベクトルを乗じて前記プライマリ同期信号及び前記セカンダリ同期信号に適用するチャネルを入手するための手段をさらに備えるＣ３４に記載の装置。
［Ｃ３６］
前記プライマリ及びセカンダリ同期信号において用いられるプリコーディングベクトルをセルＩＤ及びシステムフレーム番号とリンクさせるための手段をさらに備えるＣ３４に記載の装置。
［Ｃ３７］
検出するための前記手段は、１つ以上の誤アラーム低減方式を適用するための手段をさらに備えるＣ２３に記載の装置。
［Ｃ３８］
前記１つ以上の誤アラーム低減方式のうちの１つを適用するための前記手段は、前記残留信号の受信された電力をスレショルド値と比較するための手段を備えるＣ３７に記載の装置。
［Ｃ３９］
前記スレショルド値は、
定義されたスレショルド値、
検出された最も強力なセルから生成されたスレショルド、又は
複数の検出されたセルの平均から生成されたスレショルド、のうちの少なくとも１つを備えるＣ３８に記載の装置。
［Ｃ４０］
前記１つ以上の誤アラーム低減方式のうちの１つを適用するための前記手段は、前記検出された信号に対する巡回冗長検査を行うための手段を備えるＣ３７に記載の装置。
［Ｃ４１］
前記１つ以上の誤アラーム低減方式のうちの１つを適用するための前記手段は、
基準信号受信電力が前記残留信号におけるスレショルドよりも高いことを決定するための手段と、
前記残留信号から物理ブロードキャストチャネルを復号するための手段と、を備えるＣ３７に記載の装置。
［Ｃ４２］
前記残留信号に対する自動利得制御を行うための手段をさらに備えるＣ２３に記載の装置。
［Ｃ４３］
自動利得制御を行うための前記手段は、
前記推定されたチャネル、又は
前記受信された信号と前記残留信号との間のエネルギー差、のうちの少なくとも１つに基づいて前記残留信号にスケーリングファクタを適用するための手段をさらに備えるＣ４２に記載の装置。
［Ｃ４４］
前記残留信号及び前記推定されたチャネルと関連付けられた信号が類似の送信されたプライマリ同期信号を有することを決定するための手段と、
前記推定されたチャネル及び検出されたタイミングと関連付けられた情報を格納するための手段と、をさらに備え、前記格納された情報は、検出されたプライマリ同期信号をさらに備えるＣ２３に記載の装置。
［Ｃ４５］
１つ以上のチャネル推定方式を用いて受信された信号からチャネルを推定し、
前記受信された信号から前記推定されたチャネルを用いる成分信号を除去して処理された信号を生成し、及び
前記処理された信号内の残留信号を検出するための符号を備えるコンピュータによって読み取り可能な媒体、を備える、コンピュータプログラム製品。
［Ｃ４６］
前記受信された信号は、複数のセルからの成分を備えるＣ４５に記載のコンピュータプログラム製品。
［Ｃ４７］
推定するための前記符号は、
前記受信された信号においてプライマリ同期信号又はセカンダリ同期信号のうちの少なくとも１つを検出し、及び
前記プライマリ同期信号又は前記セカンダリ同期信号のいずれかを用いてチャネル推定値を生成するための符号をさらに備えるＣ４５に記載のコンピュータプログラム製品。
［Ｃ４８］
前記１つ以上のチャネル推定方式のうちの１つは、
第１のセル物理ブロードキャストチャネルを復号し、及び
前記受信された信号と関連付けられたプライマリ同期信号及びセカンダリ同期信号に前記復号された第１のセル物理ブロードキャストチャネルを適用するための符号を備えるＣ４５に記載のコンピュータプログラム製品。
［Ｃ４９］
検出するための前記符号は、１つ以上の誤アラーム低減方式を適用するための符号をさらに備えるＣ４５に記載のコンピュータプログラム製品。
［Ｃ５０］
前記１つ以上の誤アラーム低減方式のうちの１つは、前記残留信号の受信された電力をスレショルド値と比較するための符号を備えるＣ４９に記載のコンピュータプログラム製品。
［Ｃ５１］
前記コンピュータによって読み取り可能な媒体は、前記残留信号に対する自動利得制御を行うための符号をさらに備えるＣ４５に記載のコンピュータプログラム製品。
［Ｃ５２］
前記コンピュータによって読み取り可能な媒体は、
前記残留信号及び前記推定されたチャネルと関連付けられた信号が類似の送信されたプライマリ同期信号を有することを決定し、及び
前記推定されたチャネル及び検出されたタイミングと関連付けられた情報を格納するための符号をさらに備え、前記格納された情報は、検出されたプライマリ同期信号をさらに備えるＣ４５に記載のコンピュータプログラム製品。
［Ｃ５３］
少なくとも１つのプロセッサと、
前記少なくとも１つのプロセッサに結合されたメモリと、を備え、前記少なくとも１つのプロセッサは、
１つ以上のチャネル推定方式を用いて受信された信号からチャネルを推定し、
前記受信された信号から前記推定されたチャネルを用いる成分信号を除去して処理された信号を生成し、及び
前記処理された信号内の残留信号を検出するように構成される、無線通信のための装置。
［Ｃ５４］
前記受信された信号は、複数のセルからの成分を備えるＣ５３に記載の装置。
［Ｃ５５］
１つ以上のチャネル推定方式を用いて前記受信された信号からチャネルを推定するために、前記少なくとも１つのプロセッサは、
前記受信された信号においてプライマリ同期信号又はセカンダリ同期信号のうちの少なくとも１つを検出し、及び
前記プライマリ同期信号又は前記セカンダリ同期信号のいずれかを用いてチャネル推定値を生成するようにさらに構成されるＣ５３に記載の装置。
［Ｃ５６］
１つ以上のチャネル推定方式を用いて前記受信された信号からチャネルを推定するために、前記少なくとも１つのプロセッサは、
第１のセル物理ブロードキャストチャネルを復号し、及び
前記受信された信号と関連付けられたプライマリ同期信号及びセカンダリ同期信号に前記復号された第１のセル物理ブロードキャストチャネルを適用するようにさらに構成されるＣ５３に記載の装置。
［Ｃ５７］
前記少なくとも１つのプロセッサは、１つ以上の誤アラーム低減方式を適用するようにさらに構成されるＣ５３に記載の装置。
［Ｃ５８］
１つ以上の誤アラーム低減方式を適用するために、前記少なくとも１つのプロセッサは、前記残留信号の受信された電力をスレショルド値と比較するようにさらに構成されるＣ５７に記載の装置。
［Ｃ５９］
前記少なくとも１つのプロセッサは、前記残留信号に対する自動利得制御を行うようにさらに構成されるＣ５３に記載の装置。
［Ｃ６０］
前記少なくとも１つのプロセッサは、
前記残留信号及び前記推定されたチャネルと関連付けられた信号が類似の送信されたプライマリ同期信号を有することを決定し、及び、
前記推定されたチャネル及び検出されたタイミングと関連付けられた情報を格納するようにさらに構成され、前記格納された情報は、検出されたプライマリ同期信号をさらに備えるＣ５３に記載の装置。